(57)【要約】【課題】尋ね人の行方を捜索する際の個人情報の漏洩に対する安全性を備えた捜索システム、及び、該システムを構成する情報処理装置を提供する。【解決手段】第１端末装置１及び第２端末装置２から情報を受け付けた中央装置３が、第２端末装置２から受け付けた個人情報と、第１端末装置１から受け付けた捜索人情報及び／又は捜索依頼人情報が含む情報とを照合して一致するか否かを判断して、一致すると判断した場合、その旨の通知を第１端末装置１へ送信する構成とする。【選択図】図２
2007102379.tif 000002
【特許請求の範囲】
【請求項１】
中央装置及び該中央装置と通信可能な複数の端末装置を備え、第１端末装置は、被捜索人情報及び捜索依頼人情報を受け付けて、前記中央装置へ送信し、該中央装置は、前記第１端末装置から受信した前記被捜索人情報及び捜索依頼人情報を対応付けて登録しておき、第２端末装置は、情報の送信要求を受け付けて、前記中央装置へ送信し、該中央装置は、第２端末装置からの送信要求に応じて、情報を該第２端末装置へ送信し、該第２端末装置は、前記中央装置から受信した情報を出力する捜索システムにおいて、
前記第２端末装置は、
ユーザの個人情報を受け付けて、前記中央装置へ送信する手段
を備え、
前記中央装置は、
受信した個人情報と登録してある前記被捜索人情報及び／又は捜索依頼人情報が含む情報とが一致するか否かを判断する判断手段
を備え、
該判断手段が一致すると判断した場合、その旨の通知を前記第１端末装置へ送信するようにしてあることを特徴とする捜索システム。
【請求項２】
前記中央装置は、
前記第１端末装置から前記捜索依頼人情報を受信した場合、第１端末装置への送信のための第１電子メールアドレスを生成する手段と、
前記第２端末装置から前記個人情報を受信した場合、第２端末装置への送信のための第２電子メールアドレスを生成する手段とを
備え、
前記判断手段が前記個人情報と前記被捜索人情報及び／又は捜索依頼人情報が含む情報とが一致すると判断した場合、前記第１電子メールアドレスの情報を前記第２端末装置へ送信し、前記第２電子メールアドレスの情報を前記第１端末装置へ送信するようにしてあることを特徴とする請求項１に記載の捜索システム。
【請求項３】
前記中央装置は、
前記第１（又は第２）電子メールアドレスを送信先とした電子メールを第２（又は第１）端末装置から受信する手段と、
受信した電子メールを前記第１（又は第２）電子メールアドレスに基づき第１（又は第２）端末装置へ送信する手段とを備えることを特徴とする請求項２に記載の捜索システム。
【請求項４】
前記捜索依頼人情報は、捜索依頼人の氏名，生年月日，出身校名，出身校所在地，所属組又は担任教師の氏名を含み、
前記被捜索人情報は、被捜索人の氏名，所属組又は担任教師の氏名を含み、
前記個人情報は、氏名，生年月日，出身校名，出身校所在地，所属組又は担当教師の氏名を含むものであって、
前記判断手段は、該個人情報と登録してある前記被捜索人情報が含む被捜索人の氏名，所属組もしくは担任教師の氏名、及び／又は、捜索依頼人情報が含む生年月日，出身校名もしくは出身校所在地とが一致するか否かを判断するようにしてあることを特徴とする請求項１乃至請求項３のいずれかひとつに記載の捜索システム。
【請求項５】
外部から被捜索人情報及び捜索依頼人情報を受信する手段と、
受信した被捜索人情報及び捜索依頼人情報を対応付けて登録する手段と、
該捜索依頼人情報を受信した場合、第１電子メールアドレスを生成する手段と、
外部からの送信要求に応じて、登録してある前記被捜索人情報を外部へ送信する手段と、
外部から、個人情報を受信する手段と、
該個人情報を受信した場合、第２電子メールアドレスを生成する手段と、
受信した個人情報と登録してある前記被捜索人情報及び／又は捜索依頼人情報が含む情報とが一致するか否かを判断する手段と、
該判断する手段が一致すると判断した場合、その旨を一の外部装置へ送信するとともに、前記第１電子メールアドレスの情報を一の外部装置へ送信し、第２電子メールアドレスの情報を他の外部装置へ送信するようにしてあることを特徴とする情報処理装置。
【請求項６】
第１（又は第２）電子メールアドレスを送信先とした電子メールを外部から受信する手段と、
受信した電子メールを前記第１（又は第２）電子メールアドレスに基づき一の（又は他の）外部装置へ送信する手段とを備えることを特徴とする請求項５に記載の情報処理装置。
【請求項７】
前記判断手段は、前記個人情報と登録してある前記被捜索人情報が含む被捜索人の氏名，所属組又は担任教師の氏名、及び／もしくは、捜索依頼人情報が含む生年月日，出身校名又は出身校所在地とが一致するか否かを判断するようにしてあることを特徴とする請求項５又は請求項６に記載の情報処理装置。
【発明の詳細な説明】
【技術分野】
【０００１】
本発明は、尋ね人の行方を捜索する際の個人情報の漏洩に対する安全性を備えた捜索システム、および、該システムを構成する情報処理装置に関する。
【背景技術】
【０００２】
近年、尋ね人の行方を捜索する手段として、インターネット上の電子掲示板に捜索依頼人氏名及び被捜索人氏名を開示しておき、開示された氏名を閲覧した被捜索人からの連絡を待つ捜索システムがある。
【０００３】
該捜索システムは、中央装置及び該中央装置と通信可能な複数の端末装置から構成される。該中央装置は、捜索依頼の際、捜索依頼人の個人情報を受信して記憶しておき、被捜索人側の端末装置からの送信要求に応じて、捜索依頼人の個人情報を被捜索人側の端末装置へ送信する。そして、被捜索人は、取得した捜索依頼人の個人情報に基づき、連絡すべき相手であるか否かの本人確認をする。本人確認ができた場合、被捜索人は、情報処理装置を介して住所などの自己の個人情報を捜索依頼人側の端末装置へ送信して連絡を行う（例えば特許文献１）。
【０００４】
このようなインターネットを用いた捜索システムは、テレビ，ラジオ及び新聞とは異なり、捜索依頼の情報を常に開示して、被捜索人の目にとまるようにでき、また、該情報を見た被捜索人はすぐに名乗り出ることができるので、人物を捜索する手段として極めて有効である。
【特許文献１】特開２００２−１５００３８号公報
【発明の開示】
【発明が解決しようとする課題】
【０００５】
しかしながら、特許文献１に記載の捜索システムは、例えば、悪意のある者が被捜索人になりすましている場合であっても、この者に捜索依頼人の個人情報を提供するので、捜索依頼人の個人情報を漏洩させ、該個人情報が不正利用される危険を生じさせる。
【０００６】
従って、このような危険性に不安を持つ者は、人物の捜索を希望する場合であっても、特許文献１に記載の捜索システムを利用することに消極的になる。
【０００７】
一方、２００５年４月から「個人情報の保護に関する法律」が施行され、社会の個人情報漏洩に対する関心が高まっている。従って、悪意のある者のなりすましにより、または、中央装置に不正接続されたことにより管理している個人情報を漏洩させた中央装置を用いた事業者は、自己の情報を漏洩され悪意のある者に不正利用され損害を被った個人から損害賠償を請求される虞がある。
【０００８】
このため、事業者は、個人情報を扱う前記捜索システムを用いたサービスの提供を控えがちになり、人物を捜索する有効手段を必要としている市場の要求に応じられない。
【０００９】
本発明はこのような事情に鑑みてなされたものであって、第２端末装置から受信した個人情報と、第１端末装置から受信し対応付けて登録してある捜索人情報及び／又は捜索依頼人情報が含む情報とを照合して一致した場合、その旨の通知を第１端末装置へ送信する構成を備えることにより、捜索依頼人情報を外部に漏らすことなく中央装置内で被捜索人の本人確認をして、被捜索人を見つけることができる捜索システムを提供することを目的とする。
【００１０】
また、本発明は、第１端末装置及び第２端末装置から情報を受け付けた中央装置が、第１端末装置及び第２端末装置へのメール送信のための電子メールアドレスを生成し、個人情報と被捜索人情報及び／又は捜索依頼人情報とを照合して一致すると判断した場合、電子メールアドレスの情報を第１端末装置及び第２端末装置へ送信する構成を備えることにより、本来捜索依頼人及び被捜索人が別途所有している電子メールアドレスを用いずに捜索依頼人と被捜索人との通信ができる捜索システム及び情報処理装置を提供することを目的とする。
【００１１】
また、本発明は、中央装置が、第１（又は第２）電子メールアドレスを送信先とした電子メールを受信し、電子メールを第１（又は第２）電子メールアドレスに基づき第１（  又は第２）端末装置へ送信する構成を備えることにより、外部のメールサーバを利用しない捜索依頼人と被捜索人との通信の場をつくることができる捜索システム及び情報処理装置を提供することを目的とする。
【００１２】
また、本発明は、第１端末装置，第２端末装置及び中央装置において、捜索依頼人の氏名，生年月日，出身校名，出身校所在地，所属組もしくは担任教師の氏名を含む捜索依頼人情報，被捜索人の氏名，所属組もしくは担当教師の氏名を含む被捜索人情報、及び／又は、氏名，生年月日，出身校名，出身校所在地，所属組もしくは担当教師の氏名を含む個人情報のみを用いることにより、仮に前記情報が漏洩した場合であっても、同窓会名簿という補助的な情報源がない限り、（婚姻，養子縁組，両親の離婚または改名などにより）変更された現在の氏名，現住所，電話番号，電子メールアドレス、勤務先、所属、勤務先住所及び勤務先電話番号などの利用価値の高い個人情報が漏洩せず、自己の情報を漏洩された個人が、個人情報の不正利用により損害を被ることがないようにできる捜索システム及び情報処理装置を提供することを目的とする。
【課題を解決するための手段】
【００１３】
第１発明に係る捜索システムは、中央装置及び該中央装置と通信可能な複数の端末装置を備え、第１端末装置は、被捜索人情報及び捜索依頼人情報を受け付けて、前記中央装置へ送信し、該中央装置は、前記第１端末装置から受信した前記被捜索人情報及び捜索依頼人情報を対応付けて登録しておき、第２端末装置は、情報の送信要求を受け付けて、前記中央装置へ送信し、該中央装置は、第２端末装置からの送信要求に応じて、情報を該第２端末装置へ送信し、該第２端末装置は、前記中央装置から受信した情報を出力する捜索システムにおいて、前記第２端末装置は、ユーザの個人情報を受け付けて、前記中央装置へ送信する手段を備え、前記中央装置は、受信した個人情報と登録してある前記被捜索人情報及び／又は捜索依頼人情報が含む情報とが一致するか否かを判断する判断手段を備え、該判断手段が一致すると判断した場合、その旨の通知を前記第１端末装置へ送信するようにしてあることを特徴とする。
【００１４】
第２発明に係る捜索システムは、前記中央装置は、前記第１端末装置から前記捜索依頼人情報を受信した場合、第１端末装置への送信のための第１電子メールアドレスを生成する手段と、前記第２端末装置から前記個人情報を受信した場合、第２端末装置への送信のための第２電子メールアドレスを生成する手段とを備え、前記判断手段が前記個人情報と前記被捜索人情報及び／又は捜索依頼人情報が含む情報とが一致すると判断した場合、前記第１電子メールアドレスの情報を前記第２端末装置へ送信し、前記第２電子メールアドレスの情報を前記第１端末装置へ送信するようにしてあることを特徴とする。
【００１５】
第３発明に係る捜索システムは、前記中央装置は、前記第１（又は第２）電子メールアドレスを送信先とした電子メールを第２（又は第１）端末装置から受信する手段と、受信した電子メールを前記第１（又は第２）電子メールアドレスに基づき第１（又は第２）端末装置へ送信する手段とを備えることを特徴とする。
【００１６】
第４発明に係る捜索システムは、前記捜索依頼人情報は、捜索依頼人の氏名，生年月日，出身校名，出身校所在地，所属組または担任教師の氏名を含み、前記被捜索人情報は、被捜索人の氏名，所属組又は担任教師の氏名を含み、前記個人情報は、氏名，生年月日，出身校名，出身校所在地，所属組または担当教師の氏名を含むものであって、前記判断手段は、該個人情報と登録してある前記被捜索人情報が含む被捜索人の氏名，所属組もしくは担任教師の氏名、及び／又は、捜索依頼人情報が含む生年月日，出身校名もしくは出身校所在地とが一致するか否かを判断するようにしてあることを特徴とする。
【００１７】
第５発明に係る情報処理装置は、外部から被捜索人情報及び捜索依頼人情報を受信する手段と、受信した被捜索人情報及び捜索依頼人情報を対応付けて登録する手段と、該捜索依頼人情報を受信した場合、第１電子メールアドレスを生成する手段と、外部からの送信要求に応じて、登録してある前記被捜索人情報を外部へ送信する手段と、外部から、個人情報を受信する手段と、該個人情報を受信した場合、第２電子メールアドレスを生成する手段と、受信した個人情報と登録してある前記被捜索人情報及び／又は捜索依頼人情報が含む情報とが一致するか否かを判断する手段と、該判断する手段が一致すると判断した場合、その旨を一の外部装置へ送信するとともに、前記第１電子メールアドレスの情報を一の外部装置へ送信し、第２電子メールアドレスの情報を他の外部装置へ送信するようにしてあることを特徴とする。
【００１８】
第６発明に係る情報処理装置は、第１（又は第２）電子メールアドレスを送信先とした電子メールを外部から受信する手段と、受信した電子メールを前記第１（又は第２）電子メールアドレスに基づき一の（又は他の）外部装置へ送信する手段とを備えることを特徴とする。
【００１９】
第７発明に係る情報処理装置は、前記判断手段は、前記個人情報と登録してある前記被捜索人情報が含む被捜索人の氏名，所属組または担任教師の氏名、及び／もしくは、捜索依頼人情報が含む生年月日，出身校名または出身校所在地とが一致するか否かを判断するようにしてあることを特徴とする。
【００２０】
第１発明にあっては、第１端末装置及び第２端末装置から情報を受け付けた中央装置が、第２端末装置から受け付けた個人情報と、第１端末装置から受け付けた捜索人情報及び／又は捜索依頼人情報が含む情報とを照合して一致するか否かを判断して、中央装置側で、捜索依頼人が捜索している被捜索人本人であるか否かの本人確認がされる。そして、本人確認ができた場合、中央装置からその旨を捜索依頼人へ知らせる。
【００２１】
また、第２発明及び第５発明にあっては、第１端末装置及び第２端末装置から情報を受け付けた中央装置が、第１端末装置及び第２端末装置へのメール送信のための電子メールアドレスを生成する。また、中央装置側で、捜索依頼人が捜索している被捜索人であるとの本人確認ができた場合、電子メールアドレスの情報を端末装置へ送信する。
【００２２】
また、第３発明及び第６発明にあっては、中央装置が、第１（又は第２）電子メールアドレスを送信先とした電子メールを受信し、電子メールを第１（又は第２）電子メールアドレスに基づき第１（又は第２）端末装置へ送信するので、外部のメールサーバを利用することなく、中央装置側で、捜索依頼人及び被捜索人の間での電子メールによる連絡を仲介する。
【００２３】
また、第４発明及び第７発明にあっては、第１端末装置，第２端末装置及び中央装置の情報処理において、捜索依頼人の氏名，生年月日，出身校名，出身校所在地，所属組もしくは担任教師の氏名を含む捜索依頼人情報，被捜索人の氏名，所属組もしくは担当教師の氏名を含む被捜索人情報、及び／又は、氏名，生年月日，出身校名，出身校所在地，所属組もしくは担当教師の氏名を含む個人情報のみを用いるので、悪意のある者が知らない個人情報を用いて情報処理がされる。
【発明の効果】
【００２４】
第１発明にあっては、捜索依頼人情報，被捜索人情報及び個人情報を外部に漏らすことなく中央装置内で捜索依頼人が捜索している被捜索人本人であるか否かの本人確認がされるので、捜索依頼人は、自己の個人情報がなりすましにより窃取され不正利用される心配をすることなく、インターネットを利用した捜索システムを利用できる。また、捜索依頼人は、被捜索人が発見された旨を速やかに知ることができる。
【００２５】
また、第２発明及び第５発明にあっては、本人確認ができた場合に、電子メールアドレスは端末装置へ送信するので、なりすました者に電子メールアドレスが窃取されないようにできる。また、万が一、電子メールアドレスが窃取された場合であっても、本来捜索依頼人及び被捜索人が別途所有している電子メールアドレスが窃取されることはなく、窃取された電子メールアドレスは、中央装置側で速やかに抹消・変更してその利用価値を速やかに喪失させ、不正利用されないようにできる。
【００２６】
また、第３発明及び第６発明にあっては、中央装置側で、捜索依頼人及び被捜索人の間での電子メールによる連絡を仲介するので、通信に利用する外部のメールサーバが不正接続され電子メールアドレスの情報が漏洩される危険を回避できる。
【００２７】
また、第４発明及び第７発明にあっては、第１端末装置，第２端末装置及び中央装置は、悪意のある者が知らない個人情報を用いて情報処理を行うので、万が一、悪意のある者のなりすましにより、または、中央装置に不正接続されたことにより中央装置に登録している捜索依頼人または被捜索人の個人情報が漏洩された場合であっても、同窓会名簿という補助的な情報源がない限り、（婚姻，養子縁組，両親の離婚または改名などにより）変更された現在の氏名，現住所，電話番号，電子メールアドレス、勤務先、所属、勤務先住所及び勤務先電話番号などの利用価値の高い個人情報まで漏洩することはなく、自己の情報を漏洩された個人が、個人情報を不正利用されたことにより損害を被ることがないようにできる。さらに、事業者は、個人情報を扱う捜索システムを提供することにより、「個人情報の保護に関する法律」の施行後においても、インターネットを用いた捜索システムの提供を控えることなく市場の要求の応じることができる。
【発明を実施するための最良の形態】
【００２８】
以下、本発明をその実施の形態を示す図面に基づいて具体的に説明する。図１は本発明に係る捜索システムの構成を示す模式図である。図中１は、行方の捜索を依頼する捜索依頼人についての捜索依頼人情報、該捜索依頼人が行方の捜索を依頼した被捜索人についての被捜索人情報を受け付ける捜索依頼人所有の第１端末装置である。また、第１端末装置１とインターネットなどの通信ネットワークを介して通信することが可能な第２端末装置２は、被捜索人所有の端末装置である。第１端末装置及び第２端末装置は、例えば、パーソナルコンピュータ，携帯電話またはＰＤＡなどである。さらにまた、第１端末装置及び第２端末装置と通信ネットワークを介して通信することが可能な中央装置３は、捜索システムを運用する事業者が管理する装置である。
【００２９】
本発明に係る捜索システムを利用する場合、捜索依頼人は、第１端末装置１から捜索依頼人情報を中央装置３へ送信して、会員登録をする。さらに、会員となった捜索依頼人は、第１端末装置１から被捜索人情報を中央装置３へ送信して登録する。
【００３０】
一方、被捜索人は、中央装置３から後述する電子掲示板画面を第２端末装置２により受信して、自分が捜索されていることを発見する。自分が捜索されていることを発見した被捜索人は、捜索システムにおいて名乗りでるため、第２端末装置２から個人情報を送信して、会員登録をする。
【００３１】
中央装置３は、第２端末装置２から受信した個人情報と、登録している被捜索人情報及び／又は捜索依頼人情報とを照合し、一致するか否かを判断する。中央装置３は、一致すると判断した結果、その旨を第１端末装置１へ送信する。さらに、電子メールアドレスを生成して、第１端末装置１及び第２端末装置２へ送信する。
【００３２】
つぎに、本発明に係る捜索システムが備える装置を説明する。図２は、本発明に係る捜索システムが備える第１端末装置，第２端末装置及び中央装置の構成を示すブロック図である。
【００３３】
第１端末装置１が備える入力部１１は、キーボード及びマウスなどであり、捜索依頼人がこれらを操作することにより、捜索依頼人情報，被捜索人情報、送信要求及び電子メールを受け付け、主記憶装置１４へ送る。
【００３４】
通信部１２は、通信ネットワークに接続して外部と情報の授受を行うためのインタフェースであり、入力部１１が受け付けた捜索依頼人情報，被捜索人情報，送信要求及び電子メールを通信ネットワークを介して中央装置３へ送信する。また、中央装置３により送信されたウェブページ及び電子メールを受信して主記憶装置１４へ送る。
【００３５】
補助記憶装置１３は、中央装置３から受信したウェブページを閲覧するためのウェブブラウザソフト及び電子メールを作成して送受信するためのメールソフトを記憶している。
【００３６】
主記憶装置１４は、ＳＲＡＭまたはＤＲＡＭなどにより構成されており、入力部１１から与えられた捜索依頼人情報，被捜索人情報，送信要求及び電子メールを一時記憶しておく。また、通信部１２から与えられたウェブページ及び電子メールを一時記憶しておく。また、補助記憶装置１３から読み出したウェブブラウザソフト及びメールソフトを一時記憶しておく。
【００３７】
表示部１５は、ＣＲＴまたは液晶モニタ装置などにより構成されており、主記憶装置１４に一時記憶しているウェブブラウザソフトを用いてウェブページの内容を表示する。また、メールソフトを用いて電子メールの内容を表示する。
【００３８】
ＣＰＵ１６は、第１端末装置１の全般的な制御を行う。具体的には、ＣＰＵ１６は、補助記憶装置１３からウェブブラウザソフトを主記憶装置１４へ読み出し、読み出したウェブブラウザソフトを用いて主記憶装置１４に一時記憶しているウェブページを解析し、解析した内容を表示部１５が表示する制御を行う。さらに、ＣＰＵ１６は、前記ウェブページに従って入力部１１により受け付けた捜索依頼人情報，被捜索人情報及び送信要求を通信部１２を介して中央装置３へ送信する制御を行う。
【００３９】
また、ＣＰＵ１６は、補助記憶装置１３からメールソフトを主記憶装置１４へ読み出し、読み出したメールソフトを用いて電子メールを作成し、作成した電子メールを通信部１２を介して中央装置３へ送信する制御を行う。また、ＣＰＵ１６は、読み出したメールソフトを用いて主記憶装置１４に一時記憶している電子メールを表示部１５が表示する制御を行う。
【００４０】
入力部１１，通信部１２，補助記憶装置１３，主記憶装置１４，表示部１５及びＣＰＵ１６は、バス１７を介して繋がっている。
【００４１】
第２端末装置２は、前記第１端末装置１と同様、入力部２１，通信部２２，補助記憶装置２３，主記憶装置２４，表示部２５及びＣＰＵ２６を備え、これらはバス２７を介して繋がっている。
【００４２】
また、ＣＰＵ２６は、ウェブページに従って入力部２１により受け付けた個人情報及び送信要求を通信部２２を介して中央装置３へ送信する制御を行う。
【００４３】
中央装置３が備える通信部３１は、通信ネットワークに接続して外部と情報の授受を行うためのインタフェースであり、第１端末装置により送信された捜索依頼人情報，被捜索人情報、送信要求及び電子メールを受信する。また、第２端末装置により送信された個人情報，送信要求及び電子メールを受信する。また、補助記憶装置３２から読み出した情報を、第１端末装置及び第２端末装置へ送信する。
【００４４】
補助記憶装置３２は、捜索依頼人情報，被捜索人情報又は個人情報の登録又は表示のためのウェブページ３２１，会員情報データベース３２２，被捜索人情報データベース３２３，情報の照合を行うための情報照合ソフト３２４，電子メールアドレスを生成するための電子メールアドレス生成ソフト３２５、および、電子メールの送受信を行う電子メール配送ソフト３２６を記憶する。
【００４５】
ウェブページ３２１には、被捜索人情報を表示するための電子掲示板画面３２１ａ，捜索依頼人及び被捜索人が捜索システムを利用する際に行う入会手続のための会員登録画面３２１ｂ，会員識別情報を設定するための会員ＩＤ登録画面３２１ｃ，捜索依頼人及び被捜索人が捜索システムを利用する際に行う会員認証のための会員ＩＤ認証画面３２１ｄ、ならびに、捜索依頼人が依頼する被捜索人情報を登録するための被捜索人情報登録画面３２１ｅを表示する情報が含まれる。
【００４６】
主記憶装置３３は、ＳＲＡＭまたはＤＲＡＭなどにより構成されており、補助記憶装置３２から読み出した情報照合ソフト３２４，電子メールアドレス生成ソフト３２５及び電子メール配送ソフト３２６を一時的に記憶しておく。
【００４７】
メールボックス３４は、端末装置から受信した電子メールを、電子メールアドレスに従い格納する。
【００４８】
中央装置３は多数の機能を備えており、ＣＰＵ３５は、中央装置３が備える各機能の制御を行う。中央装置３は、ウェブページ３２１のトップページである電子掲示板画面３２１ａの送信機能を備える。ＣＰＵ３５は、第１端末装置１または第２端末装置２から送信された電子掲示板画面３２１ａの送信要求を受け付けた場合、補助記憶装置３２に記憶している電子掲示板画面３２１ａを、通信部３１を介して第１端末装置１または第２端末装置２へ送信する制御を行う。
【００４９】
図３は、実施の形態に係る捜索システムの電子掲示板を表示する電子掲示板画面の画面構成例を示す図である。電子掲示板画面３２１ａは、第１端末装置１または第２端末装置２の表示部により、被捜索人情報から抽出した「被捜索人氏名」，捜索依頼人情報から抽出した「捜索依頼人氏名」，「生年月日」，「出身校所在地」，「出身校名」，及び捜索依頼人のメッセージを項目とした一覧表形式の掲示板を表示する。また、「捜索依頼人氏名」は、クリックされた場合、会員登録画面３２１ｂの送信要求及び捜索依頼人氏名の情報を出力させる。また、電子掲示板画面３２１ａは、左側のフレーム内に、会員登録画面３２１ｂの送信要求を出力させる「会員登録」ボタン，被捜索人情報登録画面３２１ｅの送信要求を出力させる「被捜索人情報登録」ボタン，会員登録画面３２１ａにより入力した情報を変更するための画面の送信要求を出力させる「会員登録の変更」ボタン，会員登録画面３２１ａの登録手順を説明した画面の送信要求を出力させる「会員登録の手順」ボタンを備える。また、電子掲示板画面３２１ａは、上部に、掲示板の情報をフリー検索するための文字を入力する欄，出身校名を検索するための情報を入力する欄、および、検索実行指示を出力させる「検索」ボタンを備える。
【００５０】
また、中央装置３は、会員登録機能を備える。ＣＰＵ３５は、電子掲示板画面３２１ａ上の「会員登録」ボタンがオンされ、第１端末装置１または第２端末装置２から送信された会員登録画面３２１ｂの送信要求を受け付けた場合、補助記憶装置３２に記憶している会員登録画面３２１ｂを、通信部３１を介して第１端末装置１または第２端末装置２へ送信する制御を行う。
【００５１】
図４は、実施の形態に係る捜索システムを利用する際に行う会員登録画面の構成例を示す図である。会員登録画面３２１ｂは、電子掲示板画面３２１ａ上の「会員登録」ボタンまたは会員ＩＤ認証画面３２１ｄ上の「会員登録」ボタンがオンされた場合に補助記憶装置３２から読み出される。会員登録画面３２１ｂは、捜索依頼人情報または個人情報として、「氏名」，「生年月日（西暦）」，「出身校名」，「出身校所在地」，「所属組」及び「担任教師氏名」を入力する欄を備える。また、これらの情報の登録指示及び会員ＩＤ登録画面の送信要求を出力させる「次へ」ボタンを備える。また、入力された前記情報の消去指示を出力させる「キャンセル」ボタンを備える。ここで、「氏名」とは捜索依頼人または被捜索人の氏名をいう。なお、現在の氏名が（婚姻，養子縁組，両親の離婚または改名などにより）変更されている場合は、在学当時の氏名を入力する。「生年月日」とは、捜索依頼人または被捜索人の生年月日をいうが、同学年であるか否かの判断材料であるので、西暦のみを入力するようにしてもよい。この場合、例えば「１９５５年３月３１日」の早生まれの人は、１級下の学年として判断されないように「１９５４年」と入力する。「出身校名」とは、捜索依頼人または被捜索人が卒業した学校の名称をいう。出身校が名称変更している場合は、当時の名称を入力する。「出身校所在地」とは、捜索依頼人または被捜索人の出身校の所在地をいう。出身校が移転している場合は、当時の所在地を入力する。「所属組」とは、捜索依頼人又は被捜索人が所属していた組をいう。学年毎に組が異なる場合は、学年及び所属組を入力するようにしてもよい。「担当教師氏名」とは、捜索依頼人又は被捜索人を担当した教師の氏名をいう。学年毎に教師が異なる場合は、学年及び担当教師の氏名を入力するようにしてもよい。
【００５２】
ＣＰＵ３５は、会員登録画面３２１ｂ上の「次へ」ボタンがオンされ、第１端末装置１または第２端末装置２から送信された登録指示、および、会員ＩＤ登録画面３２１ｃの送信要求を受け付けた場合、登録指示に従って、会員登録画面３２１ａに入力された捜索依頼人情報または個人情報を、会員情報データベース３２２に格納している会員情報テーブル３２２ａに登録する制御を行う。また、送信要求に従って、補助記憶装置３２から読み出した会員ＩＤ登録画面３２１ｃを、通信部３１を介して第１端末装置１または第２端末装置２へ送信する制御を行う。
【００５３】
図５は、会員情報テーブルの登録内容の概念図である。会員情報データベース３２２は、捜索依頼人情報，個人情報及び関連情報が登録された複数の会員情報テーブル３２２ａ，ａ…を格納する。会員情報テーブル３２２ａは、氏名，生年月日，出身校名，出身校所在地，所属組，担当教師の氏名，電子メールアドレス，会員ＩＤ，パスワード及び登録日をカラムとするレコードにより構成される。
【００５４】
図６は、実施の形態に係る捜索システムを利用する際に行う会員ＩＤ登録画面の構成例を示す図である。会員ＩＤ登録画面３２１ｃは、会員登録画面３２１ｂ上の「次へ」ボタンがオンされた場合に補助記憶装置３２から読み出される。会員ＩＤ登録画面３２１ｃは、任意の「会員ＩＤ」，「パスワード」及び確認のために再入力する「パスワード」を入力する欄を備える。また、これらの登録指示を出力させる「登録」ボタンを備える。なお、「会員ＩＤ」又は「パスワード」が既登録されている場合に「登録」ボタンがオンされた場合、「会員ＩＤ」又は「パスワード」は赤字表示する。この場合、修正された「会員ＩＤ」又は「パスワード」の入力を受け付ける。
【００５５】
中央装置３は、会員ＩＤ登録機能を備える。ＣＰＵ３５は、会員ＩＤ登録画面３２１ｃ上の「登録」ボタンがオンされ、第１端末装置１または第２端末装置２から送信された登録指示を受け付けた場合、会員ＩＤ登録画面３２１ｃに入力された会員ＩＤ及びパスワードを、捜索依頼人情報または個人情報に対応付けて、会員情報データベース３２２に格納している会員情報データベース３２２ａに登録する制御を行う。
【００５６】
また、中央装置３は、電子メールアドレス生成機能を備える。ＣＰＵ３５は、会員ＩＤ登録画面３２１ｃ上の「登録」ボタンがオンされ、第１端末装置１または第２端末装置２から送信された登録指示を受け付けた場合、補助記憶装置３２から、電子メールアドレス生成ソフト３２５を読み出し、読み出した電子メールアドレス生成ソフト３２５を用いて、文字ならびに数字と組み合わせたプライベート名および中央装置側で設定してあるドメイン名から成る電子メールアドレスを生成する。生成された電子メールアドレスは、捜索依頼人情報または個人情報に対応付けて、会員情報データベース３２２ａに登録する制御を行う。
【００５７】
また、中央装置３は、被捜索人情報登録機能を備える。ＣＰＵ３５は、電子掲示板画面３２１ａ上の「被捜索人情報登録」ボタンがオンされ、第１端末装置１から送信された被捜索人情報登録画面３２１ｅの送信要求を受け付けた場合、まず補助記憶装置３２に記憶している会員ＩＤ認証画面３２１ｄを通信部３１を介して第１端末装置１へ送信する制御を行う。
【００５８】
図７は、実施の形態に係る捜索システムを利用する際に行う会員認証の会員ＩＤ認証画面の画面構成例を示す図である。会員ＩＤ認証画面３２１ｄは、電子掲示板画面３２１ａ上の「被捜索人情報登録」または「会員登録の変更」ボタンがオンされた場合に補助記憶装置３２から読み出される。会員ＩＤ認証画面３２１ｄは、「会員ＩＤ」及び「パスワード」を入力する欄を備える。また、これらの入力完了指示を出力させる「ＯＫ」ボタンを備える。また、入力された前記情報の消去指示を出力させる「キャンセル」ボタンを備える。また、会員登録が完了していない場合に、会員登録画面３２１ｂの送信要求を出力させる「会員登録」ボタンを備える。さらにまた、会員登録の手順が分からない場合に、登録手順を説明した画面の送信要求を出力させる「会員登録の手順」ボタンを備える。
【００５９】
ＣＰＵ３５は、会員ＩＤ認証画面３２１ｄ上の「ＯＫ」ボタンがオンされ、第１端末装置１から送信された入力完了指示を受け付けた場合、入力完了指示に従い、会員ＩＤ認証画面３２１ｄに入力された会員ＩＤ及びパスワードが、会員情報データベース３２２に登録している会員ＩＤ及びパスワードと一致するか否かを判断する。その結果一致すると判断した場合、補助記憶装置３２に記憶している被捜索人情報登録画面３２１ｅを、通信部３１を介して第１端末装置１へ送信する制御を行う。
【００６０】
図８は、実施の形態に係る捜索システムにおいて被捜索人情報の登録を行う被捜索人情報登録画面の画面構成例を示す図である。被捜索人情報登録画面３２１ｅは、中央装置３が会員ＩＤ認証画面３２１ｄ上で受け付けた会員ＩＤ及びパスワードと会員情報データベース３２２に登録している会員ＩＤ及びパスワードとが一致すると判断した場合に、補助記憶装置３２から読み出される。被捜索人情報登録画面３２１ｅは、行方の捜索を依頼した「被捜索人氏名」，出身校での「所属組」及び「担任教師氏名」を入力する欄を備える。また、これらの登録指示を出力させる「次へ」ボタンを備える。さらに、被捜索人宛のメッセージを入力する「メッセージ入力欄」を備える。
【００６１】
ＣＰＵ３５は、被捜索人情報登録画面３２１ｅ上の「次へ」ボタンがオンされ、第１端末装置１から送信された登録指示を受け付けた場合、登録指示に従って、被捜索人情報登録画面３２１ｅに入力された被捜索人情報を、被捜索人情報データベース３２３に格納している被捜索人情報テーブル３２３ａに登録する制御を行う。
【００６２】
図９は、被捜索人情報テーブルの登録内容の概念図である。被捜索人情報データベース３２３は、被捜索人情報及び関連情報が登録された複数の被捜索人情報テーブル３２３ａ，ａ…を格納する。被捜索人情報テーブル３２３ａは、被捜索人の氏名，所属組，担任教師の氏名，捜索依頼人の会員ＩＤ及びパスワードをカラムとして対応付けられたレコードにより構成される。
【００６３】
また、中央装置３は、情報照合機能を備える。ＣＰＵ３５は、第２端末装置２から送信された登録指示を受け付けた場合、補助記憶装置３２から、情報照合ソフト３２４を読み出し、読み出した情報照合ソフト３２４を用いて、新たに会員情報テーブル３２２ａへ登録された個人情報が含む「氏名」，「所属組」及び「担任教師氏名」と、被捜索人情報テーブル３２３ａに登録している被捜索人情報である「被捜索人の氏名」，「所属組」及び「担任教師氏名」とが一致するか否かの照合を行う。
【００６４】
また、中央装置３は、メールサーバ機能を備える。ＣＰＵ３５は、第１端末装置または第２端末装置から送信された電子メールを受け付けた場合、補助記憶装置３２から、電子メール配送ソフト３２６を読み出し、読み出した電子メール配送ソフト３２６を用いて、電子メールが含む送信先の電子メールアドレスに従い、メールボックス３４に格納する制御を行う。さらに、第１端末装置または第２端末装置から送信された電子メール送信要求を受け付けた場合、前記電子メール配送ソフト３２６を用いて、メールボックス３４から、送信要求を送信した端末装置が送信先となっている電子メールを読み出し、通信部３１を介して、該端末装置へ送信する制御を行う。
【００６５】
通信部３１，補助記憶装置３２，主記憶装置３３，メールボックス３４及びＣＰＵ３５は、バス３６を介して繋がっている。
【００６６】
つぎに、捜索依頼人が本発明に係る捜索システムを利用するために、捜索人依頼情報を入力して会員登録する処理の流れについて説明する。図１０乃至１２は、捜索依頼人情報の登録処理を示すフローチャートである。
【００６７】
第１端末装置１のＣＰＵ１６は、表示部１５に表示されたウェブブラウザ上の送信要求キー（図示せず）がオンされることにより、電子掲示板画面３２１ａの送信要求を受け付けたか否かを判断する（ステップＳ１０１）。その結果、受け付けていないと判断した場合、受付待ちへ戻る（ステップＳ１０１でＮＯ）。ＣＰＵ１６が、受け付けたと判断した場合（ステップＳ１０１でＹＥＳ）、受け付けた送信要求を通信部１２を介して中央装置３へ送信する（ステップＳ１０２）。
【００６８】
中央装置３のＣＰＵ３５は、通信部３１を介して送信要求を受信したか否かを判断する（ステップＳ１０３）。その結果、受信していないと判断した場合、受信待ちへ戻る（ステップＳ１０３でＮＯ）。ＣＰＵ３５が、通信部３１を介して送信要求を受信したと判断した場合（ステップＳ１０３でＹＥＳ）、送信要求に応じて、補助記憶装置３２から電子掲示板画面３２１ａを読み出し（ステップＳ１０４）、読み出した電子掲示板画面３２１ａを通信部３１を介して第１端末装置１へ送信する（ステップＳ１０５）。
【００６９】
ＣＰＵ１６は、中央装置３から送信された電子掲示板画面３２１ａを通信部１２を介して受信して主記憶装置１４に一時記憶し（ステップＳ１０６）、一時記憶した電子掲示板画面３２１ａを表示部１５に表示する（ステップＳ１０７）。ＣＰＵ１６は、表示された電子掲示板画面３２１ａ上の「会員登録」ボタンがオンされて図４の会員登録画面３２１ｂの送信要求を受け付けたか否かを判断する（ステップＳ１０８）。その結果、受け付けていないと判断した場合、受付待ちへ戻る（ステップＳ１０８でＮＯ）。ＣＰＵ１６が、受け付けたと判断した場合（ステップＳ１０８でＹＥＳ）、受け付けた送信要求を通信部１２を介して中央装置３へ送信する（ステップＳ１０９）。
【００７０】
中央装置３のＣＰＵ３５は、通信部３１を介して送信要求を受信したか否かを判断する（ステップＳ１１０）。その結果、受信していないと判断した場合、受信待ちへ戻る（ステップＳ１１０でＮＯ）。ＣＰＵ３５が、通信部３１を介して送信要求を受信したと判断した場合（ステップＳ１１０でＹＥＳ）、送信要求に応じて、補助記憶装置３２から会員登録画面３２１ｂを読み出し（ステップＳ１１１）、読み出した会員登録画面３２１ｂを通信部３１を介して第１端末装置１へ送信する（ステップＳ１１２）。
【００７１】
ＣＰＵ１６は、中央装置３から送信された会員登録画面３２１ｂを通信部１２を介して受信して主記憶装置１４に一時記憶し（ステップＳ１１３）、一時記憶した会員登録画面３２１ｂを表示部１５に表示する（ステップＳ１１４）。ＣＰＵ１６は、表示された会員登録画面３２１ｂ上に「氏名」，「生年月日（西暦）」，「出身校名」，「出身校所在地」，「所属組」及び「担任教師氏名」が入力されて捜索依頼人情報を受け付け、「次へ」ボタンがオンされて登録指示及び図５の会員ＩＤ登録画面３２１ｃの送信要求を受け付けたか否かを判断する（ステップＳ１１５）。その結果、受け付けていないと判断した場合、受付待ちへ戻る（ステップＳ１１５でＮＯ）。ＣＰＵ１６が、受け付けたと判断した場合（ステップＳ１１５でＹＥＳ）、捜索依頼人情報，登録指示及び送信要求を通信部１２を介して中央装置３へ送信する（ステップＳ１１６）。
【００７２】
ＣＰＵ３５は、第１端末装置１から送信された捜索依頼人情報，登録指示及び送信要求を通信部３１を介して受信したか否かを判断する（ステップＳ１１７）。その結果、受信していないを判断した場合、受信待ちへ戻る（ステップＳ１１７でＮＯ）。ＣＰＵ３５が、受信したと判断した場合（ステップＳ１１７でＹＥＳ）、登録指示に従い、捜索依頼人情報を会員情報データベース３２２に格納している会員情報テーブル３２２ａに登録する（ステップＳ１１８）。また、ＣＰＵ３５は、送信要求に従い、補助記憶装置３２から会員ＩＤ登録画面３２１ｃを読み出し（ステップＳ１１９）、読み出した会員ＩＤ登録画面３２１ｃを通信部３１を介して第１端末装置１へ送信する（ステップＳ１２０）。
【００７３】
ＣＰＵ１６は、中央装置３から送信された会員ＩＤ登録画面３２１ｃを通信部１２を介して受信して主記憶装置１４に一時記憶し（ステップＳ１２１）、一時記憶した会員ＩＤ登録画面３２１ｃを表示部１５に表示する（ステップＳ１２２）。ＣＰＵ１６は、表示された会員ＩＤ登録画面３２１ｃ上に任意の「会員ＩＤ」及び「パスワード」が入力され、「登録」ボタンがオンされてこれらの登録指示を受け付けたか否かを判断する（ステップＳ１２３）。その結果、受け付けていないと判断した場合（ステップＳ１２３でＮＯ）、受付待ちへ戻る。ＣＰＵ１６が、受け付けたと判断した場合（ステップＳ１２３でＹＥＳ）、会員ＩＤ，パスワード及びこれらの登録指示を通信部１２を介して中央装置３へ送信する（ステップＳ１２４）。
【００７４】
ＣＰＵ３５は、第１端末装置から送信された会員ＩＤ，パスワード及びこれらの登録指示を通信部３１を介して受信したか否かを判断する（ステップＳ１２５）。その結果、受信していないと判断した場合、受信待ちへ戻る（ステップＳ１２５でＮＯ）。ＣＰＵ３５が、受信したと判断した場合（ステップＳ１２５でＹＥＳ）、登録指示に従い、会員ＩＤ及びパスワードを、ステップＳ１１８において登録した捜索依頼人情報に対応付けて、会員情報データベース３２２に格納している会員情報テーブル３２２ａに登録する（ステップＳ１２６）。ＣＰＵ３５は、登録完了した旨の通知（図示せず）を、該通知表示後に電子掲示板画面３２１ａの送信要求を送信させる送信指示とともに通信部３１を介して第１端末装置１へ送信する（ステップＳ１２７）。
【００７５】
ＣＰＵ１６は、中央装置３から送信された登録完了の通知及び送信指示を受信して（ステップＳ１２８）、該通知を表示部１５に表示する（ステップＳ１２９）。またＣＰＵ１６は、送信指示に従い、電子掲示板画面３２１ａの送信要求を通信部１２を介して中央装置３へ送信する（ステップＳ１３０）。
【００７６】
ＣＰＵ３５は、登録指示に併せて、補助記憶装置３２から電子メールアドレス生成ソフト３２５を読み出し（ステップＳ１３１）、読み出した電子メールアドレス生成ソフトを用いて、第１端末装置を示す電子メールアドレスを生成する（ステップＳ１３２）。ＣＰＵ３５は、生成した電子メールアドレスをステップＳ１１８において登録した捜索依頼人情報に対応付けて、会員情報データベース３２２に格納している会員情報テーブル３２２ａに登録する（ステップＳ１３３）。
【００７７】
つぎに、会員となった捜索依頼人が被捜索人情報を登録する処理の流れについて説明する。図１３乃至１５は、被捜索人情報の登録処理を示すフローチャートである。
【００７８】
ＣＰＵ３５は、ステップＳ１２１において第１端末装置１から送信された送信要求を通信部３１を介して受信したか否かを判断する（ステップＳ２０１）。その結果、受信していないと判断した場合、受信待ちへ戻る（ステップＳ２０１でＮＯ）。ＣＰＵ３５が、受信したと判断した場合（ステップＳ２０１でＹＥＳ）、送信要求に応じて、補助記憶装置３２から電子掲示板画面３２１ａを読み出し（ステップＳ２０２）、読み出した電子掲示板画面３２１ａを通信部３１を介して第１端末装置１へ送信する（ステップＳ２０３）。
【００７９】
ＣＰＵ１６は、中央装置３から送信された電子掲示板画面３２１ａを通信部１２を介して受信して主記憶装置１４に一時記憶し（ステップＳ２０４）、一時記憶した電子掲示板画面３２１ａを表示部１５に表示する（ステップＳ２０５）。ＣＰＵ１６は、図３の電子掲示板画面３２１ａ上の「被捜索人情報登録」ボタンがオンされて図８の被捜索人情報登録画面３２１ｅの送信要求を受け付けたか否かを判断する（ステップＳ２０６）。その結果、受け付けていないと判断した場合、受付待ちへ戻る（ステップＳ２０６でＮＯ）。ＣＰＵ１６が、受け付けたと判断した場合（ステップＳ２０６でＹＥＳ）、受け付けた送信要求を通信部１２を介して中央装置３へ送信する（ステップＳ２０７）。
【００８０】
中央装置３のＣＰＵ３５は、第１端末装置１から送信された送信要求を通信部３１を介して受信したか否かを判断する（ステップＳ２０８）。その結果、受信してないと判断した場合、受信待ちへ戻る（ステップＳ２０８でＮＯ）。ＣＰＵ３５が、受信したと判断した場合（ステップＳ２０８でＹＥＳ）、送信要求に応じて、補助記憶装置３２から図７の会員ＩＤ認証画面３２１ｄを読み出し（ステップＳ２０９）、読み出した会員ＩＤ認証画面３２１ｄを通信部３１を介して第１端末装置１へ送信する（ステップＳ２１０）。
【００８１】
ＣＰＵ１６は、中央装置３から送信された会員ＩＤ認証画面３２１ｄを通信部１２を介して受信して主記憶装置１４に一時記憶し（ステップＳ２１１）、一時記憶した会員ＩＤ認証画面３２１ｄを表示部１５に表示する（ステップＳ２１２）。ＣＰＵ１６は、表示された会員ＩＤ認証画面３２１ｄ上に「会員ＩＤ」及び「パスワード」が入力され、「ＯＫ」ボタンがオンされてこれらの入力完了指示を受け付けたか否かを判断する（ステップＳ２１３）。その結果、受け付けていないと判断した場合、受付待ちへ戻る（ステップＳ２１３でＮＯ）。ＣＰＵ１６が、受け付けたと判断した場合（ステップＳ２１３でＹＥＳ）、会員ＩＤ，パスワード及び入力完了指示を通信部１２を介して中央装置３へ送信する（ステップＳ２１４）。
【００８２】
ＣＰＵ３５は、第１端末装置から送信された会員ＩＤ，パスワード及び入力完了指示を通信部３１を介して受信したか否かを判断する（ステップＳ２１５）。その結果、受信していないと判断した場合、受信待ちへ戻る（ステップＳ２１５でＮＯ）。ＣＰＵ３５が、受信したと判断した場合（ステップＳ２１５でＹＥＳ）、受信した会員ＩＤ及びパスワードとステップＳ１２４において登録した会員ＩＤ及びパスワードとを照合して、一致するか否かを判断する（ステップＳ２１６）。その結果、一致しないと判断した場合（ステップＳ２１６でＮＯ）、一致しない旨の通知（図示せず）を通信部３１を介して第１端末装置１へ送信して終了する（ステップＳ２１７）。
【００８３】
ＣＰＵ１６は、中央装置３から送信された一致しない旨の通知（図示せず）を通信部１２を介して受信して（ステップＳ２１８）、受信した通知を表示部１５に表示する（ステップＳ２１９）。
【００８４】
ＣＰＵ３５が、一致すると判断した場合（ステップＳ２１６でＹＥＳ）、会員ＩＤ及びパスワードを、被捜索人情報データベース３２３に格納している被捜索人情報テーブル３２３ａに登録する（ステップＳ２２０）。また、ＣＰＵ３５は、補助記憶装置３２から図７の被捜索人情報登録画面３２１ｅを読み出し（ステップＳ２２１）、読み出した被捜索人情報登録画面３２１ｅを通信部３１を介して第１端末装置１へ送信する（ステップＳ２２２）。
【００８５】
ＣＰＵ１６は、中央装置３から送信された被捜索人情報登録画面３２１ｅを通信部１２を介して受信して主記憶装置１４に一時記憶し（ステップＳ２２３）、一時記憶した被捜索人情報登録画面３２１ｅを表示部１５に表示する（ステップＳ２２４）。ＣＰＵ１６は、表示された被捜索人情報登録画面３２１ｅ上に「被捜索人の氏名」，「所属組」及び「担任教師氏名」が入力されて被捜索人情報を受け付け、「次へ」ボタンがオンされて登録指示を受け付けたか否かを判断する（ステップＳ２２５）。その結果、受け付けていないと判断した場合、受付待ちへ戻る（ステップＳ２２５でＮＯ）。ＣＰＵ１６が、受け付けたと判断した場合（ステップＳ２２５でＹＥＳ）、被捜索人の氏名，所属組，担任教師の氏名及びこれらの登録指示を通信部１２を介して中央装置３へ送信する（ステップＳ２２６）。
【００８６】
ＣＰＵ３５は、第１端末装置１から送信された被捜索人の氏名，所属組，担任教師の氏名及びこれらの登録指示を通信部３１を介して受信したか否かを判断する（ステップＳ２２７）。その結果、受信していないと判断した場合、受信待ちへ戻る（ステップＳ２２７でＮＯ）。ＣＰＵ３５が、受信したと判断した場合（ステップＳ２２７でＹＥＳ）、登録指示に従い、被捜索人の氏名，所属組及び担任教師氏名を、ステップＳ２２０において登録した会員ＩＤ及びパスワードに対応付けて、被捜索人情報データベース３２３に格納している被捜索人情報テーブル３２３ａに登録する（ステップＳ２２８）。さらに、ＣＰＵ３５は、登録完了した旨の通知（図示せず）を通信部３１を介して第１端末装置１へ送信する（ステップＳ２２９）。
【００８７】
ＣＰＵ１６は、中央装置３から送信された登録完了の通知を受信して（ステップＳ２３０）、受信した通知の画面を表示部１５に表示する（ステップＳ２３１）。
【００８８】
つぎに、自分が捜索されていることを発見した被捜索人が本発明に係る捜索システムにおいて名乗り出るために、個人情報を入力して会員登録する処理の流れについて説明する。図１６乃至図１９は、個人情報の登録処理及び登録された個人情報と被捜索人情報との照合処理を示すフローチャートである。図２０は、一致した旨及び生成した電子メールアドレスを掲載した画面の画面構成例を示す図である。
【００８９】
第２端末装置２のＣＰＵ２６は、表示部２５に表示されたウェブブラウザ上の送信要求キーがオンされることにより、電子掲示板画面３２１ａの送信要求を受け付けたか否かを判断する（ステップＳ３０１）。その結果、受け付けていないと判断した場合、受付待ちへ戻る（ステップＳ３０１でＮＯ）。ＣＰＵ２６が、受け付けたと判断した場合（ステップＳ３０１でＹＥＳ）、受け付けた送信要求を通信部２２を介して中央装置３へ送信する（ステップＳ３０２）。
【００９０】
中央装置３のＣＰＵ３５は、通信部３１を介して送信要求を受信したか否かを判断する（ステップＳ３０３）。その結果、受信していないと判断した場合、受信待ちへ戻る（ステップＳ３０３でＮＯ）。ＣＰＵ３５が、通信部３１を介して送信要求を受信したと判断した場合（ステップＳ３０３でＹＥＳ）、送信要求に応じて、補助記憶装置３２から電子掲示板画面３２１ａを読み出し（ステップＳ３０４）、読み出した電子掲示板画面３２１ａを通信部３１を介して第２端末装置２へ送信する（ステップＳ３０５）。
【００９１】
ＣＰＵ２６は、中央装置３から送信された電子掲示板画面３２１ａを通信部２２を介して受信して主記憶装置２４に一時記憶し（ステップＳ３０６）、一時記憶した電子掲示板画面３２１ａを表示部２５に表示する（ステップＳ３０７）。
ＣＰＵ２６は、表示された電子掲示板画面３２１ａ上の「捜索依頼人氏名」がクリックされることにより、図４の会員登録画面３２１ｂの送信要求及び捜索依頼人氏名の情報を受け付けたか否かを判断する（ステップＳ３０８）。その結果、受け付けていないと判断した場合、受付待ちへ戻る（ステップＳ３０８でＮＯ）。ＣＰＵ２６が、受け付けたと判断した場合（ステップＳ３０８でＹＥＳ）、受け付けた送信要求及び捜索依頼人氏名の情報を通信部２２を介して中央装置３へ送信する（ステップＳ３０９）。
【００９２】
ＣＰＵ３５は、通信部３１を介して送信要求及び捜索依頼人氏名の情報を受信したか否かを判断する（ステップＳ３１０）。その結果、受信していないと判断した場合、受信待ちへ戻る（ステップＳ３１０でＮＯ）。ＣＰＵ３５が、受信したと判断した場合（ステップＳ３１０でＹＥＳ）、受信した捜索依頼人氏名の情報を主記憶装置３３に一時記憶する（ステップＳ３１１）。また、ＣＰＵ３５は、送信要求に応じて、補助記憶装置３２から会員登録画面３２１ｂを読み出し（ステップＳ３１２）、読み出した会員登録画面３２１ｂを通信部３１を介して第２端末装置２へ送信する（ステップＳ３１３）。
【００９３】
ＣＰＵ２６は、中央装置３から送信された会員登録画面３２１ｂを通信部２２を介して受信して主記憶装置２４に一時記憶し（ステップＳ３１４）、一時記憶した会員登録画面３２１ｂを表示部２５に表示する（ステップＳ３１５）。ＣＰＵ２６は、表示された会員登録画面３２１ｂ上に「氏名」，「生年月日（西暦）」，「出身校名」，「出身校所在地」，「所属組」及び「担任教師氏名」が入力されて個人情報を受け付け、「次へ」ボタンがオンされて登録指示及び図５の会員ＩＤ登録画面３２１ｃの送信要求を受け付けたか否かを判断する（ステップＳ３１６）。その結果、受け付けていないと判断した場合、受付待ちへ戻る（ステップＳ３１６でＮＯ）。ＣＰＵ２６が、受け付けたと判断した場合（ステップＳ３１６でＹＥＳ）、個人情報，登録指示及び送信要求を通信部２２を介して中央装置３へ送信する（ステップＳ３１７）。
【００９４】
ＣＰＵ３５は、第２端末装置２から送信された個人情報，登録指示及び送信要求を通信部３１を介して受信したか否かを判断する（ステップＳ３１８）。その結果、受信していないと判断した場合、受信待ちへ戻る（ステップＳ３１８でＮＯ）。ＣＰＵ３５が、受信したと判断した場合（ステップＳ３１８でＹＥＳ）、登録指示に従い、個人情報を会員情報データベース３２２に格納している会員情報テーブル３２２ａに登録する（ステップＳ３１９）。また、ＣＰＵ３５は、送信要求に従い、補助記憶装置３２から会員ＩＤ登録画面３２１ｃを読み出し（ステップＳ３２０）、読み出した会員ＩＤ登録画面３２１ｃを通信部３１を介して第２端末装置２へ送信する（ステップＳ３２１）。
【００９５】
ＣＰＵ２６は、中央装置３から送信された会員ＩＤ登録画面３２１ｃを通信部２２を介して受信して主記憶装置２４に一時記憶し（ステップＳ３２２）、一時記憶した会員ＩＤ登録画面３２１ｃを表示部２５に表示する（ステップＳ３２３）。ＣＰＵ２６は、表示された会員ＩＤ登録画面３２１ｃ上に任意の「会員ＩＤ」及び「パスワード」が入力され、「登録」ボタンがオンされてこれらの登録指示を受け付けたか否かを判断する（ステップＳ３２４）。その結果、受け付けていないと判断した場合、受付待ちへ戻る（ステップＳ３２４でＮＯ）。ＣＰＵ２６が、受け付けたと判断した場合（ステップＳ３２４でＹＥＳ）、会員ＩＤ，パスワード及びこれらの登録指示を通信部２２を介して中央装置３へ送信する（ステップＳ３２５）。
【００９６】
ＣＰＵ３５は、第２端末装置２から送信された会員ＩＤ，パスワード及びこれらの登録指示を通信部３１を介して受信したか否かを判断する（ステップＳ３２６）。その結果、受信していないと判断した場合、受信待ちへ戻る（ステップＳ３２６でＮＯ）。ＣＰＵ３５は、受信したと判断した場合（ステップＳ３２６でＹＥＳ）、登録指示に従い、会員ＩＤ及びパスワードを、ステップＳ３１９において登録した個人情報に対応付けて、会員情報データベース３２２に格納している会員情報テーブル３２２ａに登録する（ステップＳ３２７）。
【００９７】
また、ＣＰＵ３５は、登録指示に併せて、補助記憶装置３２から電子メールアドレス生成ソフト３２５を読み出し（ステップＳ３２８）、読み出した電子メールアドレス生成ソフトを用いて、第２端末装置を示す電子メールアドレスを生成する（ステップＳ３２９）。ＣＰＵ３５は、生成した電子メールアドレスをステップＳ３１９において登録した個人情報に対応付けて、会員情報データベース３２２に格納している会員情報テーブル３２２ａに登録する（ステップＳ３３０）。
【００９８】
さらに、ＣＰＵ３５は、登録指示に併せて、補助記憶装置３２から情報照合ソフト３２４を読み出し（ステップＳ３３１）、さらに、ステップＳ３１１において一時記憶している捜索依頼人氏名の情報を含む捜索依頼人情報を会員情報テーブル３２２ａから抽出し（ステップＳ３３２）、さらに抽出した捜索依頼人情報が含む会員ＩＤ及びパスワードに基いて、被捜索人情報テーブル３２３ａから該当する被捜索人情報を読み出す（ステップＳ３３３）。ＣＰＵ３５は、情報照合ソフト３２４を用いて、ステップＳ３１９において登録した個人情報が含む「氏名」，「所属組」及び「担当教師氏名」と、読み出した被捜索人情報である「被捜索人の氏名」，「所属組」及び「担任教師氏名」とを照合し、一致するか否かを判断する（ステップＳ３３４）。その結果、一致しないと判断した場合（ステップＳ３３４でＮＯ）、一致しない旨の通知（図示せず）を通信部３１を介して第２端末装置２へ送信する（ステップＳ３３５）。
【００９９】
ＣＰＵ２６は、中央装置３から送信された一致しない旨の通知（図示せず）を通信部２２を介して受信し（ステップＳ３３６）、受信した通知を表示部２５に表示する（ステップＳ３３７）。
【０１００】
ＣＰＵ３５が、一致すると判断した場合（ステップＳ３３４でＹＥＳ）、図２０に示すように一致した旨及び生成した電子メールアドレスを掲載した画面を通信部３１を介して第１端末装置１及び第２端末装置へ送信する（ステップＳ３３８）。
【０１０１】
ＣＰＵ１６は、中央装置３から送信された、一致した旨及びステップＳ１３２において生成した電子メールアドレスを掲載した画面を通信部１２を介して受信し（ステップＳ３３９）、受信した画面を表示部１５に表示する（ステップＳ３４０）。
【０１０２】
ＣＰＵ２６は、中央装置３から送信された電子メールアドレスを通信部２２を介して受信し（ステップＳ３４１）、受信した画面を表示部２５に表示する（ステップＳ３４２）。
【０１０３】
ＣＰＵ３５は、被捜索人情報テーブル３２３ａにおいて、一致すると判断した被捜索人情報に関するレコードに終了フラグを立てて終了する（ステップＳ３４３）。
【０１０４】
なお、上述した実施の形態において、中央装置３は、個人情報が含む「氏名」，「所属組」及び「担当教師氏名」と、被捜索人情報である「被捜索人の氏名」，「所属組」及び「担任教師氏名」とを照合し、一致するか否かを判断しているが、これに限らず、さらに、個人情報が含む「生年月日」，「出身校名」及び「出身校所在地」と、捜索依頼人情報が含む「生年月日」，「出身校名」もしくは「出身校所在地」とを照合し、一致するか否かを判断するようにしてもよい。これにより、被捜索人である旨の本人確認の精度をさらに上げることができる。
【０１０５】
また、個人情報と被捜索人情報が含む「被捜索人の氏名」，「所属組」もしくは「担任教師氏名」、または、捜索依頼人情報が含む「生年月日」，「出身校名」もしくは「出身校所在地」のいずれかとが一致するか否かを判断するようにしてもよい。
【０１０６】
また、上述した実施の形態においては、中央装置３が、会員登録をするために被捜索人が第２端末装置２から送信した個人情報，会員ＩＤ及びパスワードを受信して会員情報テーブル３２２ａに登録をした後に、被捜索人情報と個人情報との照合を実行するようにしているが、これに限らず、中央装置３は、前記個人情報を第２端末装置２から受信した直後に、被捜索人情報と個人情報との照合を開始するようにして、被捜索人の会員登録を省略するようにしても良い。
【０１０７】
また、上述した実施の形態のとおり被捜索人に会員登録をさせておき、さらに、一の捜索終了後、被捜索人であった者が捜索依頼人として他の捜索を依頼する場合、再度の会員登録をすることなく、既に会員情報テーブル３２２ａに登録している個人情報，会員ＩＤ及びパスワードを用い、被捜索人情報登録画面３２１ｅから被捜索人情報を入力して、被捜索人情報テーブル３２３ａに登録できるようにしてもよい。これにより、被捜索人であった者が後日捜索依頼人として捜索システムの利用を希望する場合、入会手続のための会員登録を行うことなく、即時に捜索を開始することができる。
【０１０８】
また、上述した実施の形態においては、捜索依頼人が登録した被捜索人情報と、電子掲示板画面３２１ａを見て自分が捜索されていること知り名乗り出た被捜索人が登録した個人情報とを照合しているが、これに限らず、前記被捜索人情報と、既に別の捜索において会員情報テーブル３２３ａに登録されている個人情報とを照合するようにしてもよい。これにより、被捜索人が電子掲示板画面３２１ａから自分が捜索されていることを発見して名乗りでるまで照合を待たされることなく、過去に別の捜索で会員情報テーブル３２３ａに登録された個人情報を利用して、捜索依頼人による被捜索人情報の登録と同時に照合して、被捜索人を見つけることができる。
【０１０９】
また、上述した実施の形態においては、個人情報と被捜索人情報とが一致した場合にのみ、第１端末装置１または第２端末装置２を示す電子メールアドレスの情報を、第１端末装置１及び第２端末装置２へ送信しているが、これに限らず、電子メールアドレスを生成し会員情報テーブル３２２ａに登録すると際に、電子メールアドレスの情報を送信するようにしてもよい。
【０１１０】
また、上述した実施の形態においては、捜索システムを無償で利用しているが、これに限らず、捜索依頼人が、「ＷＥＢＭＯＮＥＹ」または「ＢｉｔＣａｓｈ」などを利用して取扱店で予め金額ポイントを購入しておき、会員登録の際に「システム利用料」を、さらに、被捜索人が発見され、被捜索人との連絡のための電子メールアドレスを取得する際に「成功報酬」を、インターネット上で決済できるようにしてもよい。これにより、クレジットカードによる電子決済のように、個人情報を中央装置へ提供する際、通信中に悪意のある者に窃取されたり、中央装置が不正接続され提供した個人情報が摂取される危険を回避できる。
【０１１１】
また、上述した実施の形態においては、中央装置３は、メールサーバ機能を備え、メールボックス３４を備えているが、これに限らず、別途メールサーバ機能を備える装置を設けてもよい。
【０１１２】
また、上述した実施の形態においては、中央装置３は、補助記憶装置３２に会員情報データベース３２２及び被捜索人情報データベース３２３を記憶しているが、これに限らず、別途、会員情報データベース３２２及び被捜索人情報データベース３２３を設けてもよい。
【図面の簡単な説明】
【０１１３】
【図１】本発明に係る捜索システムの構成を示す模式図である。
【図２】本発明に係る捜索システムが備える第１端末装置，第２端末装置及び中央装置の構成を示すブロック図である。
【図３】実施の形態に係る捜索システムの電子掲示板を表示する電子掲示板画面の画面構成例を示す図である。
【図４】実施の形態に係る捜索システムを利用する際に行う会員登録画面の構成例を示す図である。
【図５】会員情報テーブルの登録内容の概念図である。
【図６】実施の形態に係る捜索システムを利用する際に行う会員ＩＤ登録画面の構成例を示す図である。
【図７】実施の形態に係る捜索システムを利用する際に行う会員認証の会員ＩＤ認証画面の画面構成例を示す図である。
【図８】実施の形態に係る捜索システムにおいて被捜索人情報の登録を行う被捜索人情報登録画面の画面構成例を示す図である。
【図９】被捜索人情報テーブルの登録内容の概念図である。
【図１０】捜索依頼人情報の登録処理を示すフローチャートである。
【図１１】捜索依頼人情報の登録処理を示すフローチャートである。
【図１２】捜索依頼人情報の登録処理を示すフローチャートである。
【図１３】被捜索人情報の登録処理を示すフローチャートである。
【図１４】被捜索人情報の登録処理を示すフローチャートである。
【図１５】被捜索人情報の登録処理を示すフローチャートである。
【図１６】個人情報の登録処理および登録された個人情報と被捜索人情報との照合処理を示すフローチャートである。
【図１７】個人情報の登録処理および登録された個人情報と被捜索人情報との照合処理を示すフローチャートである。
【図１８】個人情報の登録処理および登録された個人情報と被捜索人情報との照合処理を示すフローチャートである。
【図１９】個人情報の登録処理および登録された個人情報と被捜索人情報との照合処理を示すフローチャートである。
【図２０】一致した旨および生成した電子メールアドレスを掲載した画面の画面構成例を示す図である。
【符号の説明】
【０１１４】
１  第１端末装置
２  第２端末装置
３  中央装置
１１  入力部
１２  通信部
１３  補助記憶装置
１４  主記憶装置
１５  表示部
１６  ＣＰＵ
１７  バス
３１  通信部
３２  補助記憶装置
３３  主記憶装置
３４  メールボックス
３５  ＣＰＵ
３６  バス
【図１】
2007102379.tif 000003
【図２】
2007102379.tif 000004
【図３】
2007102379.tif 000005
【図４】
2007102379.tif 000006
【図５】
2007102379.tif 000007
【図６】
2007102379.tif 000008
【図７】
2007102379.tif 000009
【図８】
2007102379.tif 000010
【図９】
2007102379.tif 000011
【図１０】
2007102379.tif 000012
【図１１】
2007102379.tif 000013
【図１２】
2007102379.tif 000014
【図１３】
2007102379.tif 000015
【図１４】
2007102379.tif 000016
【図１５】
2007102379.tif 000017
【図１６】
2007102379.tif 000018
【図１７】
2007102379.tif 000019
【図１８】
2007102379.tif 000020
【図１９】
2007102379.tif 000021
【図２０】
2007102379.tif 000022